(57)【要約】【課題】複数のカメラで撮影した動画像から、ユーザが所望する視点およびタイミングでの画像を印刷することが可能な画像印刷システム等を提供する。【解決手段】印刷画面３１には、メインカメラで撮影された動画像データの１フレーム（静止画像）を表示させる中央表示エリア３２、被写体を取り囲むように設置されたデジタルビデオカメラでそれぞれ撮影された動画像データの１フレームを表示させる多視点表示エリア３３−１〜３３−１０、所定の静止画像に紐付いた動画像データを時系列に表示させる時系列表示エリア３４が表示されている。印刷画面３１において、プリントボタン３６が選択された場合、表示中の印刷画面３１の印刷が実行される。【選択図】図５
2015186145.tif 000002
【特許請求の範囲】
【請求項１】
被写体の周囲を取り囲むように設置される複数の画像撮影装置で撮影された時系列画像を表示し、印刷する画像印刷装置であって、
前記複数の画像撮影装置で撮影された複数の時系列画像を記憶する記憶手段と、
同期する時刻に応じた画像を、前記時系列画像ごとに読み出して表示する表示手段と、
前記表示手段で表示された画像の印刷を実行する印刷実行手段と、
を備えることを特徴とする画像印刷装置。
【請求項２】
前記表示手段は、前記時系列画像から読み出した前記画像を、当該時系列画像を撮影した前記画像撮影装置の前記被写体に対する設置位置に基づいた配置にして表示するとともに、１つの前記時系列画像から読み出した前記画像を前記配置の中央付近に表示する
ことを特徴とする請求項１に記載の画像印刷装置。
【請求項３】
前記表示手段は、更に、１つの時系列画像に含まれる複数の画像を時系列順に表示する
ことを特徴とする請求項１又は請求項２に記載の画像印刷装置。
【請求項４】
前記配置の中央付近に表示する前記画像に係る前記時系列画像、及び、前記時系列順に表示する前記複数の画像に係る前記時系列画像を、別の前記時系列画像に変更する変更手段、を更に備える
ことを特徴とする請求項３に記載の画像印刷装置。
【請求項５】
前記時系列順に表示された前記画像の１つをユーザが選択することにより、選択された前記画像の撮影時刻を前記同期する時刻とする変更手段を、更に備える
ことを特徴とする請求項３に記載の画像印刷装置。
【請求項６】
被写体の周囲を取り囲むように設置される複数の画像撮影装置で撮影された時系列画像を表示し、印刷する画像印刷装置で行われる画像印刷方法であって、
同期する時刻に応じた画像を、前記複数の画像撮影装置で撮影された複数の時系列画像を記憶する記憶手段から、前記時系列画像ごとに読み出して表示する表示ステップと、
前記表示ステップで表示された画像の印刷を実行する印刷実行ステップと、
を含むことを特徴とする画像印刷方法。
【請求項７】
コンピュータを、被写体の周囲を取り囲むように設置される複数の画像撮影装置で撮影された時系列画像を表示し、印刷する画像印刷装置として機能させるためのプログラムであって、
前記コンピュータを、
前記複数の画像撮影装置で撮影された複数の時系列画像を記憶する記憶手段、
同期する時刻に応じた画像を、前記時系列画像ごとに読み出して表示する表示手段、
前記表示手段で表示された画像の印刷を実行する印刷実行手段、
として機能させるためのプログラム。
【請求項８】
被写体の周囲を取り囲むように設置される複数の画像撮影装置と、前記画像撮影装置で撮影された前記時系列画像を表示し、印刷する画像印刷装置とが、ネットワークを介して接続される画像印刷システムであって、
前記画像撮影装置は、
前記被写体の時系列画像を撮影する画像撮影手段と、
前記時系列画像を前記画像印刷装置に送信する送信手段と、
を備え、
前記画像印刷装置は、
前記複数の画像撮影装置から受信した複数の時系列画像を記憶する記憶手段と、
同期する時刻に応じた画像を、前記時系列画像ごとに読み出して表示する表示手段と、
前記表示手段で表示された画像の印刷を実行する印刷実行手段と、
を備える
ことを特徴とする画像印刷システム。
【発明の詳細な説明】
【技術分野】
【０００１】
本発明は、多視点で撮影された画像を印刷する画像印刷システム等に関するものである。
【背景技術】
【０００２】
近年、ＳＦＸ映画において、ある被写体のある瞬間を、大量のカメラによる同時撮影によって様々な視点位置からとらえる撮影方法が、撮影手法の一つとして確立されつつある。
【０００３】
この手法は、静止画カメラ（スチルカメラ）を用いて実現させているものであり、このため、撮影できる対象が、ある一瞬のみに限られてしまうという制約があった。
【０００４】
そこで、動画カメラ（ビデオカメラ）を用いた上記の撮影における撮影手法も提案されており、撮影した画像を用いたアプリケーションの一例として、ゴルフのスイングや野球のバッティングなど、フォームの重要なスポーツにおける自己フォーム検証が挙げられる。
【０００５】
例えば、特許文献１には、ゴルフ練習場に複数のビデオカメラを設置して撮影を行い、撮影した画像をサーバに送信し、自宅からこのサーバにアクセスすることにより、自己の打撃フォームの画像を得る技術が提案されている。
【先行技術文献】
【特許文献】
【０００６】
【特許文献１】特開２００２−２６３２３０号公報
【発明の概要】
【発明が解決しようとする課題】
【０００７】
特許文献１に記載の技術は、複数のカメラで撮影した動画像を順次切り替えて表示したり、ユーザが所望する視点およびタイミングでの画像を印刷したりすることができない課題があった。
【０００８】
本発明は、前述した問題点に鑑みてなされたもので、その目的とすることは、複数のカメラで撮影した時系列画像から、ユーザが所望する視点およびタイミングでの画像を容易に検索し、印刷することが可能な画像印刷システムなどを提供することである。
【課題を解決するための手段】
【０００９】
前述した目的を達成するための第１の発明は、被写体の周囲を取り囲むように設置される複数の画像撮影装置で撮影された時系列画像を表示し、印刷する画像印刷装置であって、前記複数の画像撮影装置で撮影された複数の時系列画像を記憶する記憶手段と、同期する時刻に応じた画像を、前記時系列画像ごとに読み出して表示する表示手段と、前記表示手段で表示された画像の印刷を実行する印刷実行手段と、を備えることを特徴とする画像印刷装置である。
第１の発明によって、被写体の周囲に設置した複数のカメラで撮影した時系列画像から、ユーザが所望する視点およびタイミングでの画像を印刷することが可能となる。
なお、「画像撮影装置」とは、静止画像用のデジタルカメラ、及び、動画像用のデジタルビデオカメラを含む。「時系列画像」とは、時系列の静止画像、及び、動画像を含む。
【００１０】
前記表示手段は、前記時系列画像から読み出した前記画像を、当該時系列画像を撮影した前記画像撮影装置の前記被写体に対する設置位置に基づいた配置にして表示するとともに、１つの前記時系列画像から読み出した前記画像を前記配置の中央付近に表示することが望ましい。
これによって、注目したいカメラによる画像を確認させるとともに、被写体の周囲に設置した複数のカメラの位置に応じた画像を確認させて、画像の印刷を実行することができる。
【００１１】
前記表示手段は、更に、１つの時系列画像に含まれる複数の画像を時系列順に表示することが望ましい。
これによって、時系列画像の印刷を実行することができるとともに、現在表示されている画像が時系列上どの位置にあるのか確認させることができる。
【００１２】
前記配置の中央付近に表示する前記画像に係る前記時系列画像、及び、前記時系列順に表示する前記複数の画像に係る前記時系列画像を、別の前記時系列画像に変更する変更手段、を更に備えることが望ましい。
これによって、注目したいカメラによる画像を変更するとともに、表示している時系列画像を変更することができる。
【００１３】
前記時系列順に表示された前記画像の１つをユーザが選択することにより、選択された前記画像の撮影時刻を前記同期する時刻とする変更手段を、更に備えることが望ましい。
これによって、時系列画像を操作して、ユーザが所望する視点およびタイミングでの画像を表示・印刷させることができる。
【００１４】
第２の発明は、被写体の周囲を取り囲むように設置される複数の画像撮影装置で撮影された時系列画像を表示し、印刷する画像印刷装置で行われる画像印刷方法であって、同期する時刻に応じた画像を、前記複数の画像撮影装置で撮影された複数の時系列画像を記憶する記憶手段から、前記時系列画像ごとに読み出して表示する表示ステップと、前記表示ステップで表示された画像の印刷を実行する印刷実行ステップと、を含むことを特徴とする画像印刷方法である。
第２の発明によって、被写体の周囲に設置した複数のカメラで撮影した時系列画像から、ユーザが所望する視点およびタイミングでの画像を印刷することが可能となる。
【００１５】
第３の発明は、コンピュータを、被写体の周囲を取り囲むように設置される複数の画像撮影装置で撮影された時系列画像を表示し、印刷する画像印刷装置として機能させるためのプログラムであって、前記コンピュータを、前記複数の画像撮影装置で撮影された複数の時系列画像を記憶する記憶手段、同期する時刻に応じた画像を、前記時系列画像ごとに読み出して表示する表示手段、前記表示手段で表示された画像の印刷を実行する印刷実行手段、として機能させるためのプログラムである。
第３の発明のプログラムを汎用のコンピュータにインストールすることによって、第１の発明の画像印刷装置を得ることができ、第２の発明の画像印刷方法を実行することができる。
【００１６】
第４の発明は、被写体の周囲を取り囲むように設置される複数の画像撮影装置と、前記画像撮影装置で撮影された前記時系列画像を表示し、印刷する画像印刷装置とが、ネットワークを介して接続される画像印刷システムであって、前記画像撮影装置は、前記被写体の時系列画像を撮影する画像撮影手段と、前記時系列画像を前記画像印刷装置に送信する送信手段と、を備え、前記画像印刷装置は、前記複数の画像撮影装置から受信した複数の時系列画像を記憶する記憶手段と、同期する時刻に応じた画像を、前記時系列画像ごとに読み出して表示する表示手段と、前記表示手段で表示された画像の印刷を実行する印刷実行手段と、を備えることを特徴とする画像印刷システムである。
第４の発明によって、被写体の周囲に設置した複数のカメラで撮影した時系列画像から、ユーザが所望する視点およびタイミングでの画像を印刷することが可能となる。
【発明の効果】
【００１７】
本発明により、複数のカメラで撮影した時系列画像から、ユーザが所望する視点およびタイミングでの画像を容易に検索し、印刷することが可能となる。
【図面の簡単な説明】
【００１８】
【図１】本発明の実施の形態に係る画像印刷システムの構成例を示す図である。
【図２】本発明の実施の形態に係る画像印刷装置のハードウェアの構成例を示す図である。
【図３】画像印刷装置の機能構成例を示すブロック図である。
【図４】印刷処理を説明するフローチャートである。
【図５】印刷画面の表示例を示す図である。
【図６】印刷画面の他の表示例を示す図である。
【図７】印刷画面のさらに他の表示例を示す図である。
【図８】転送処理を説明するフローチャートである。
【図９】転送画面の表示例を示す図である。
【図１０】印刷画面の時系列表示エリアの別の表示例を示す図である。
【発明を実施するための形態】
【００１９】
以下、図面に基づいて、本発明の実施の形態を詳細に説明する。
【００２０】
［本発明の実施の形態］
（画像印刷システムの構成）
図１は、本発明の実施の形態に係る画像印刷システム１の構成例を示す図である。本実施の形態においては、多視点カメラで撮影された動画像を一括して表示し、印刷するシステムについて説明する。
【００２１】
図１に示すように、画像印刷システム１は、デジタルビデオカメラ２−１〜２−１０、画像印刷装置３、サーバ４、および携帯端末５がネットワーク６を介して接続されることで構成されている。
【００２２】
デジタルビデオカメラ２−１〜２−１０は、被写体を取り囲むように設置されており、被写体を動画撮影している。撮影された動画像データは、ネットワーク６を介して画像印刷装置３に転送される。
なお、デジタルビデオカメラ２−１〜２−１０の撮影タイミングは、画像印刷装置３の制御の下、同期されている。
【００２３】
画像印刷装置３は、例えば、ＣＰＵ（Central  Processing  Unit）、ＲＯＭ（Read  Only  Memory）、ＲＡＭ（Random  Access  Memory）、ＨＤＤ（Hard  Disk  Drive）等を有するコンピュータであり、デジタルビデオカメラ２−１〜２−１０から転送されてきた複数の動画像データを受信し、表示画面に同時に表示させる。
表示方法は、例えば、全てのデジタルビデオカメラ２−１〜２−１０で撮影された動画像を並列表示したり、１つの画面において任意の角度および任意のタイミングの画像を表示したり、別に撮影した背景画像に合成したり、さまざまな表示方法が考えられる。
【００２４】
サーバ４は、例えば、ＣＰＵ、ＲＯＭ、ＲＡＭ、ＨＤＤ等を有するコンピュータであり、画像印刷装置３から転送されてきた動画像データを受信し、記憶する。
【００２５】
携帯端末５は、例えば、ＣＰＵ、ＲＯＭ、ＲＡＭ、入力部、および表示画面などを実装した携帯型コンピュータであって、例えば、スマートフォン、カメラ付き携帯電話機、タブレット端末（携帯情報端末）、デジタルカメラ等である。
携帯端末５は、画像印刷装置３から転送されてきた動画像データを受信し、受信した動画像データを、所定のビュアーを用いて再生させる。
【００２６】
ネットワーク６は、ＬＡＮ（Local  Area  Network）、インターネット等であり、有線、無線を問わない。
【００２７】
（画像印刷装置の構成）
図２は、本発明の実施の形態に係る画像印刷装置３のハードウェアの構成例を示す図である。尚、図２のハードウェア構成は一例であり、用途、目的に応じて様々な構成を採ることが可能である。
【００２８】
画像印刷装置３は、制御部１１、記憶部１２、メディア入出力部１３、通信制御部１４、入力部１５、表示部１６、周辺機器Ｉ／Ｆ部１７、および印刷部１８等が、バス１９を介して接続される。
【００２９】
制御部１１は、ＣＰＵ、ＲＯＭ、ＲＡＭ等で構成される。
ＣＰＵは、記憶部１２、ＲＯＭ、記録媒体等に格納されるプログラムをＲＡＭ上のワークメモリ領域に呼び出して実行し、バス１９を介して接続された各装置を駆動制御し、画像印刷装置３が行う後述する処理を実現する。
ＲＯＭは、不揮発性メモリであり、画像印刷装置３のブートプログラムやＢＩＯＳ（Basic Input/Output System）等のプログラム、データ等を恒久的に保持している。
ＲＡＭは、揮発性メモリであり、記憶部１２、ROM、記録媒体等からロードしたプログラム、データ等を一時的に保持するとともに、制御部１１が各種処理を行う為に使用するワークエリアを備える。
【００３０】
記憶部１２は、ＨＤＤ等であり、制御部１１が実行するプログラム、プログラム実行に必要なデータ、ＯＳ（オペレーティングシステム）等が格納される。プログラムに関しては、ＯＳに相当する制御プログラムや、後述する処理を画像印刷装置３に実行させるためのアプリケーションプログラムが格納されている。これらの各プログラムコードは、制御部１１により必要に応じて読み出されてＲＡＭに移され、ＣＰＵに読み出されて各種の手段として実行される。
【００３１】
メディア入出力部１３（ドライブ装置）は、データの入出力を行い、例えば、ＣＤドライブ（−ROM、−Ｒ、−ＲＷ等）、ＤＶＤドライブ（−ROM、−Ｒ、−ＲＷ等）等のメディア入出力装置を有する。
【００３２】
通信制御部１４は、通信制御装置、通信ポート等を有し、画像印刷装置３とネットワーク６間の通信を媒介する通信インターフェイスであり、ネットワーク６を介して、他の装置間との通信制御を行う。
【００３３】
入力部１５は、データの入力を行い、例えば、キーボード、マウス等のポインティングデバイス、テンキー等の入力装置を有する。入力部１５を介して、画像印刷装置３に対して、操作指示、動作指示、データ入力等を行うことができる。
【００３４】
表示部１６は、ＣＲＴモニタ、液晶パネル等のディスプレイ装置、ディスプレイ装置と連携して画像印刷装置３のビデオ機能を実現するための論理回路等（ビデオアダプタ等）を有する。
【００３５】
周辺機器Ｉ／Ｆ（インターフェイス）部１７は、画像印刷装置３に周辺機器を接続させるためのポートであり、周辺機器Ｉ／Ｆ部１７を介して画像印刷装置３は周辺機器とのデータの送受信を行う。周辺機器Ｉ／Ｆ部１７は、ＵＳＢ（Universal Serial Bus）やＩＥＥＥ（The Institute of
Electrical and Electronics Engineers）１３９４やＲＳ−２３５Ｃ等で構成されており、通常複数の周辺機器Ｉ／Ｆを有する。周辺機器との接続形態は有線、無線を問わない。
【００３６】
印刷部１８は、画像印刷装置３内部に設けられ、画像データを印刷する。印刷部１８は、画像データを印刷する高解像度カラープリンタであり、熱転写プリンタあるいはインクジェット型など、プリンタの方式は特に問わない。
なお、印刷部１８は、画像印刷装置３内部に設けられ、そこで印刷が行われるが、これに限らず、例えば、通信制御部１４およびネットワーク６を介して接続されたプリンタサーバ（不図示）に画像データを転送し、そこで印刷を行わせることも勿論可能である。
【００３７】
バス１９は、各装置間の制御信号、データ信号等の授受を媒介する経路である。
【００３８】
図３は、画像印刷装置３の機能構成例を示すブロック図である。図３に示す機能部のうちの少なくとも一部は、図２の制御部１１により所定のプログラムが実行されることによって実現される。
【００３９】
画像入力部２１は、メディア入出力部１３、通信制御部１４、または周辺機器Ｉ／Ｆ（インターフェイス）部１７を介して、デジタルビデオカメラ２−１〜２−１０からネットワーク６を介して動画像データを入力し、記憶部１２に記憶させる。
【００４０】
操作受付部２２は、入力部１５を用いたユーザ操作を受け付ける。
表示制御部２３は、操作受付部２２からの操作信号に基づいて、記憶部１２から複数の動画像データを読み出し、表示画面に表示させる。
印刷制御部２４は、操作受付部２２からの操作信号に基づいて、表示制御部２３により表示されている印刷画面中の動画像データを記憶部１２から読み出し、印刷データに変換した後、その印刷データを印刷部１８に送信し、印刷を実行させる。
【００４１】
（印刷処理）
図４は、画像印刷装置３が実行する印刷処理を説明するフローチャートである。
【００４２】
ステップＳ１において、画像印刷装置３の表示制御部２３は、操作受付部２２で受け付けられた印刷画面の表示指示に基づいて、記憶部１２からデジタルビデオカメラ２−１〜２−１０の多視点で撮影された動画像データを読み出し、その動画像データを含む印刷画面を表示部１６に表示させる。
これにより、例えば、図５に示すような、印刷画面３１が表示部１６に表示される。
【００４３】
図５に示す印刷画面３１には、中央表示エリア３２、多視点表示エリア３３−１〜３３−１０（以下、まとめて多視点表示エリア３３ともいう。）、時系列表示エリア３４が表示される。
中央表示エリア３２は、選択された１つのデジタルビデオカメラ（例えばデジタルビデオカメラ２−１）で撮影された動画像データの１フレーム（以下、静止画像データ、または単に画像ともいう。）を表示するエリアである。
【００４４】
多視点表示エリア３３−１〜３３−１０は、それぞれデジタルビデオカメラ２−１〜２−１０で撮影された動画像データの１フレームを表示するエリアである。なお、多視点表示エリア３３−１〜３３−１０には、中央表示エリア３２に表示されている動画像データのフレームの表示領域を設けても設けなくてもよい（図５の例では設けている）。
中央表示エリア３２に表示されるフレームと、多視点表示エリア３３−１〜３３−１０に表示されるフレームとは同期されており、同じ撮影時刻のフレームが表示される。
【００４５】
時系列表示エリア３４は、選択された動画像データを時系列に表示するエリアである。時系列表示エリア３４は、中央表示エリア３２に表示されているフレームの撮影時刻に一致する動画像データのフレームを中央に表示して、動画像データの時間軸上、当該フレームを中心として所定の時間幅に含まれるフレームを左から右に時系列に複数表示する。
または、時系列表示エリア３４は、動画像データから所定の間隔でフレームを取得して、それらを時系列に複数表示してもよい。
時系列表示エリア３４に表示される動画像データもその中央に表示されるフレームが中央表示エリア３２に表示されているフレーム等と同期される。
【００４６】
また印刷画面３１には、中央表示エリア３２および多視点表示エリア３３−１〜３３−１０に表示される静止画像データを動画像データに切り替える場合に選択される動画モードボタン３５、表示中の印刷画面３１を印刷する場合に選択されるプリントボタン３６、時系列表示エリア３４を非表示に切り替える場合に選択される時系列非表示ボタン３７、中央表示エリア３２に表示されている画像のみを表示させる場合に選択される１枚表示ボタン３８、動画像データを他の装置へ転送する場合に選択される転送ボタン３９が表示されている。
【００４７】
例えば、多視点表示エリア３３に表示されている画像の１つが選択（クリック）された場合、選択された画像が中央表示エリア３２に表示される（すなわち、選択された画像に係る動画像データが、中央表示エリア３２に表示される画像の動画像データとなる）。このとき、多視点表示エリア３３の表示も回転等して順番が入れ替わってもよい。
また例えば、多視点表示エリア３３に表示されている画像の１つが選択されたまま時系列表示エリア３４に移動され、そこで離す操作（ドラッグアンドドロップ）が行われた場合（または画像の１つがダブルクリックされた場合でもよい）、選択された多視点表示エリア３３の動画像データが、時系列表示エリア３４に時系列に表示される。
【００４８】
また例えば、時系列表示エリア３４に表示されている画像の１つが選択（クリック）された場合、選択された画像が中央表示エリア３２に表示され、その画像に同期して、多視点表示エリア３３の表示が切り替わる。また、それに合わせて、時系列表示エリア３４において、選択された画像が中央に配置されるように、動画像データにおいて、表示する時間帯の調整を行う。
また例えば、時系列表示エリア３４に表示されている画像の１つが選択されたまま時系列表示エリア３４内で移動（ドラッグ）された場合、それに合わせて、（動画像データの時間軸上、時系列表示エリア３４に表示されている画像の時間帯が移動することにより）時系列表示エリア３４に表示される画像が前後し、その中央の画像の時間に同期して、中央表示エリア３２および多視点表示エリア３３の画像も切り替わる。
【００４９】
また例えば、時系列非表示ボタン３７が選択された場合、図６に示すように、印刷画面３１に表示されていた時系列表示エリア３４が非表示に切り替わる。そして、図６に示す印刷画面３１において、時系列表示ボタン４０が選択された場合、図５に示す印刷画面３１に切り替わる。
また例えば、図５に示す印刷画面３１において、１枚表示ボタン３８が選択された場合、図７に示すように、中央表示エリア３２に表示されていた画像が全面に表示される。そして、図７に示す印刷画面３１において、多視点表示ボタン４１が選択された場合、図５に示す印刷画面３１に切り替わる。
【００５０】
図４の説明に戻る。
ステップＳ２において、画像印刷装置３の操作受付部２２は、プリント画像の選択を受け付ける。具体的には、ユーザは、上述したようにして、所望の画像を中央表示エリア３２に配置する操作等を行う。
【００５１】
ステップＳ３において、画像印刷装置３の操作受付部２２は、画像配置方法の選択を受け付ける。具体的には、ユーザは、上述したようにして、図５〜図７に示す印刷画面３１の表示に切り替える操作等を行う。
【００５２】
ステップＳ４において、画像印刷装置３の操作受付部２２は、印刷指示されたか否か、すなわち、図５〜図７の印刷画面３１におけるプリントボタン３６が選択されたか否かを判定し、まだ印刷指示されていないと判定した場合、ステップＳ２に戻り、上述した処理を繰り返す。
【００５３】
ステップＳ４において、画像印刷装置３の操作受付部２２は、印刷指示されたと判定した場合、ステップＳ５に進む。
ステップＳ５において、画像印刷装置３の印刷制御部２４は、表示中の印刷画面３１を印刷データに変換した後、印刷部１８に送信し、印刷を実行させる。
【００５４】
（転送処理）
図８は、画像印刷装置３が実行する転送処理を説明するフローチャートである。
【００５５】
ステップＳ１１において、画像印刷装置３の表示制御部２３は、操作受付部２２で受け付けられた転送画面の表示指示（図５または図６に示す印刷画面３１の転送ボタン３９の選択）に基づいて、転送画面を表示部１６に表示させる。
これにより、例えば、図９に示すような、転送画面５１が表示部１６に表示される。
【００５６】
図９に示す転送画面５１には、図５に示した印刷画面３１とほぼ同じ表示内容であって、動画像データをサーバ４へ転送する場合に選択されるサーバへボタン５２、動画像データを携帯端末５へ転送する場合に選択される携帯端末へボタン５３、図５または図６に示す印刷画面３１へ表示を切り替える場合に選択される印刷画面へボタン５４が表示されている。
【００５７】
ステップＳ１２において、画像印刷装置３の操作受付部２２は、転送先の選択を受け付ける。具体的には、ユーザは、転送画面５１において、サーバへボタン５２または携帯端末へボタン５３を選択する操作等を行う。
【００５８】
ステップＳ１３において、画像印刷装置３の制御部１１は、ステップＳ１２の処理で選択された転送先（サーバ４または携帯端末５）へ、通信制御部１４およびネットワーク６を介して、動画像データの転送を行う。
【００５９】
これにより、サーバ４は、受信した動画像データを図示しない記憶部に記憶する。また、携帯端末５は、受信した動画像データを、所定のビュアーを用いて再生させる。
【００６０】
なお、本発明の実施形態は、前述のものに限られるものではなく、その趣旨を逸脱しない範囲で変更可能である。
例えば、動画像データは、デジタルビデオカメラ２−１〜２−１０で撮影したものとしたが、カメラで連続して撮影した時系列の静止画像データを用いてもよい。
【００６１】
また例えば、図５において時系列表示エリア３４は画面の最下部に表示したが、図１０に示すように、画面の左上から右下に表示してもよい。この場合には、中央表示エリア３２に表示される画像に係る動画像データから取得した時系列の画像を表示することが望ましい。これにより、ユーザはより簡便に所望の画像を選択し、印刷することができる。
【００６２】
［本発明の実施の形態における効果］
１．以上のように、多視点で撮影された動画像データから、カメラワークをイメージすることができる表示形態で表示・印刷することができ、かつ、ユーザが所望する視点およびタイミングでの表示をそのまま印刷することができる。
２．多視点で撮影された複雑な動画像データから、ユーザが一番気に入った写真を簡単な操作で選択し、印刷することができる。
３．また、多視点で撮影された動画像データから、カメラワークをイメージすることができる表示データをサーバや携帯端末等に転送することができ、サーバや携帯端末でも専用のビュアーを用いて、容易に表示することができる。
【００６３】
以上、添付図面を参照しながら、本発明に係る画像印刷システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６４】
１………画像印刷システム
２−１〜２−１０………デジタルビデオカメラ
３………画像印刷装置
１１………制御部
１２………記憶部
１６………表示部
２２………操作受付部
２３………表示制御部
【図１】
2015186145.tif 000003
【図２】
2015186145.tif 000004
【図３】
2015186145.tif 000005
【図４】
2015186145.tif 000006
【図５】
2015186145.tif 000007
【図６】
2015186145.tif 000008
【図７】
2015186145.tif 000009
【図８】
2015186145.tif 000010
【図９】
2015186145.tif 000011
【図１０】
2015186145.tif 000012